【手続補正書】
【提出日】平成20年9月26日(2008.9.26)
【手続補正１】
【補正対象書類名】明細書
【補正対象項目名】特許請求の範囲
【補正方法】変更
【補正の内容】
【特許請求の範囲】
【請求項１】  第１リモート通信デバイスにダウンリンク・データを送信する前に、スマート・アンテナ・システムを有する第１通信デバイスから前記１リモート通信デバイスに第１ポーリングを送信するステップと、
前記第１リモート通信デバイスの前記第１ポーリングを成功裡に受信した結果として、前記第１通信デバイスで前記第１リモート通信デバイスからの第１アップリンク応答信号を受信するステップと、
少なくとも１つの他のリモート通信デバイスが第２通信デバイスから第２ポーリングを成功裡に受信した結果として、前記第１通信デバイスで１つまたは複数の他のリモート通信デバイスから１つまたは複数の他のアップリンク応答信号を受信するステップと、
前記第１通信デバイスから前記第１リモート通信デバイスへの送信のためにダウンリンク・スマート・アンテナ処理戦略を決定するステップと、
前記決定されたダウンリンク戦略を使用して、前記第１通信デバイスから前記第１リモート通信デバイスに前記ダウンリンク・データを送信するステップと、
から構成され、
前記ダウンリンク戦略は、前記第１リモート通信デバイスへのダウンリンク・データの送信中に、前記第１通信デバイスが第１または他のアップリンク応答信号を受信したおよび受信している可能性があるその第１および１つまたは複数の他のリモート通信デバイスへの混信を軽減する工程を有し、
前記第１通信デバイスは、第１プロトコルを使用して前記第１リモート通信デバイスと通信することができ、前記第２通信デバイスは前記第１プロトコルと調整される第２プロトコルを使用して１つまたは複数の他のリモート通信デバイスと通信することができ、前記第１リモート通信デバイスにダウンリンク・データを送信するステップ中に受信している可能性がある第２および１つまたは複数の他のリモート通信デバイスから前記第１通信デバイスが第１および他のアップリンク応答信号を受信できることを特徴とする方法。
【請求項２】  前記第１ポーリングの送信ステップは、第１ダウンリンク・チャネル上で行われ、前記第１アップリンク応答信号の受信ステップは、前記第１ダウンリンク・チャネルに関連した、事前に決めた関係を有する第１アップリンク・チャネル上で行われ、１つまたは複数の第２ポーリングの送信ステップは、１つまたは複数の第２ダウンリンク・チャネル上で行われ、１つまたは複数のアップリンク応答信号の受信ステップは、それぞれの第２ダウンリンク・チャネルに関連した、事前に決めた関係を有する１つまたは複数の第２関連アップリンク・チャネル上で行われることを特徴とする請求項１に記載の方法。
【請求項３】  前記第１および第２のダウンリンク・チャネルおよび関連アップリンク・チャネルは、通常のＴＤＭＡチャネルであることを特徴とする請求項２に記載の方法。
【請求項４】  前記第１関連アップリンク・チャネルと前記第２関連アップリンク・チャネルとが同期化され、前記第１ダウンリンク・チャネルと前記第２ダウンリンク・チャネルとが同期化されることを特徴とする請求項３に記載の方法。
【請求項５】  前記第１および前記第２のダウンリンク・チャネルおよび前記関連アップリンク・チャネルは通常のＦＤＭＡチャネルであることを特徴とする請求項２に記載の方法。
【請求項６】  前記第１および前記第２のダウンリンク・チャネルおよび前記関連アップリンク・チャネルは通常のＣＤＭＡチャネルであることを特徴とする請求項２に記載の方法。
【請求項７】  前記第１通信デバイスは前記通信システムの第１基地局であり、前記第１リモート通信デバイスは前記第１基地局に関連するリモート・ユーザ端末であり、前記第２通信デバイスは第２基地局であり、他のリモート通信デバイスは前記第２基地局に関連するリモート・ユーザ端末であり、前記通信システムは前記第１基地局に関連する１つまたは複数の追加ユーザ端末をさらに有し、前記方法は、
前記追加ユーザ端末にダウンリンク・データを送信する前に、前記第１基地局から前記第１基地局の１つまたは複数の追加ユーザ端末に１つまたは複数の他のポーリングを送信するステップと、
前記追加ユーザ端末が、前記第１基地局からポーリングを受信することの結果として、前記第１基地局で前記第１基地局の１つまたは複数の追加ユーザ端末から追加アップリンク応答信号を受信するステップと、
をさらに有し、前記決定されたダウンリンク・スマート・アンテナ処理戦略は、前記第１基地局がそこから追加アップリンク応答信号を受信した第１基地局に関連する１つまたは複数の追加ユーザ端末への混信の軽減する工程を含むことを特徴とする請求項１に記載の方法。
【請求項８】  前記第１通信デバイスはセルラ基地局を有することを特徴とする請求項１に記載の方法。
【請求項９】  前記第１リモート通信デバイスは第２の複数のアンテナ要素を有することを特徴とする請求項１に記載の方法。
【請求項１０】  前記第１リモート通信デバイスは、前記第２の複数のアンテナ要素を含む第２スマート・アンテナ・システムを有することを特徴とする請求項９に記載の方法。
【請求項１１】  前記第１通信デバイスは外部データ・ネットワークおよび／または外部音声ネットワークに結合されることを特徴とする請求項１に記載の方法。
【請求項１２】  前記第１リモート通信デバイスは、リモート・ユーザ端末を有することを特徴とする請求項１に記載の方法。
【請求項１３】  前記リモート・ユーザ端末はモバイル端末であることを特徴とする請求項１２に記載の方法。
【請求項１４】  前記ダウンリンク・データは、音声を含むことを特徴とする請求項１に記載の方法。
【請求項１５】  前記ダウンリンク・データは、インターネットを介して交換される情報を含むことを特徴とする請求項１に記載の方法。
【請求項１６】  前記スマート・アンテナ・システムは、複数のアンテナ要素と、アンテナ要素で受信される信号から決定される受信重み付けパラメータの組に従ってアンテナ要素で受信される信号のアップリンク空間処理の機構と、送信重み付けパラメータの組に従って送信される信号のダウンリンク空間処理の機構とから構成され、前記ダウンリンク戦略を決定するステップは、第１および他のアップリンク応答信号を受信するステップ中に受信された第１および他のアップリンク応答信号を使用してアップリンク重み付けパラメータの組を決定するステップと、アップリンク重み付けパラメータの組からダウンリンク重み付けパラメータの組を決定するステップを有することを特徴とする請求項１に記載の方法。
【請求項１７】  前記第２および他のリモート通信デバイスとの通信はフレームごとに行われ、前記ダウンリンク戦略を決定するステップは最も最近のフレームで受信された前記第１および他のアップリンク応答信号を使用して戦略を決定することを特徴とする請求項１に記載の方法。
【請求項１８】  前記第１アップリンク応答信号は、前記第１リモート通信デバイスによって受信された前記第１通信デバイスからの各フレームに応答して前記第１リモート通信デバイスによって送信される肯定応答データを有することを特徴とする請求項１７に記載の方法。
【請求項１９】  前記ダウンリンク戦略を決定するステップは、ブラインド法および最も最近に受信された第１および他のアップリンク応答信号を使用して送信重み付けパラメータを決定することを特徴とする請求項１６に記載の方法。
【請求項２０】  前記第１および他のアップリンク応答信号は、トレーニング・データを含み、前記ダウンリンク戦略を決定するステップは最も最近に受信された前記第１および他のアップリンク応答信号内のトレーニング・データを使用して送信重み付けパラメータを決定することを特徴とする請求項１６に記載の方法。
【請求項２１】  第１通信デバイスであって、
スマート・アンテナ処理戦略を使用して少なくとも１つのリモート通信デバイスと通信する、複数のアンテナ要素を含むスマート・アンテナ・システムと、
前記複数のアンテナ要素に結合され、第１リモート通信デバイスにダウンリンク・データを送信するときに、その第１リモート通信デバイスにダウンリンク・データを送信するのに先立って、リモート通信デバイスに第１ポーリングを送信するダウンリンク送信ユニットと、
前記複数のアンテナ要素に結合され、前記第１ポーリングに応答して前記第１リモート・ユーザ端末からのアップリンク応答信号を受信するアップリンク受信ユニットと、
前記ダウンリンク送信ユニットに結合されるとともに、さらに、アップリンク受信ユニットにも結合されるプロセッサと、
から構成され、
前記アップリンク受信ユニットは、少なくとも１つの他のリモート通信デバイスが第２通信デバイスからの第２ポーリングを成功裡に受信した結果として、１つまたは複数の他のリモート通信デバイスからの１つまたは複数の他のアップリンク応答信号を受信し、
前記プロセッサは、前記第１リモート通信デバイスへの送信のためのダウンリンク・スマート・アンテナ処理戦略を決定し、前記戦略は、前記アップリンク受信ユニットが第１または他のアップリンク応答信号を受信し、かつ第１リモート通信デバイスへのダウンリンク・データの送信中に受信している可能性がある第１および１つまたは他のリモート通信デバイスへの混信の軽減する工程を有し、
前記通信デバイスは、前記第１リモート通信デバイスへのダウンリンク・データの送信中に受信している可能性がある前記第１および１つまたは複数の他のリモート通信デバイスから、前記ダウンリンク送信ユニットが前記第１およびアップリンク応答信号を受信するように前記第２通信デバイスで調整されることを特徴とする第１通信デバイス。
【請求項２２】  前記ダウンリンク送信ユニットは、前記第１ポーリングが送信される第１ダウンリンク・チャネルを提供し、前記第２通信デバイスは１つまたは複数の第２ポーリングが送信される１つまたは複数の第２ダウンリンク・チャネルを提供し、前記アップリンク受信ユニットは、前記第１ポーリングが送信される第１関連アップリンク・チャネルと１つまたは複数の第２アップリンク応答信号が受信される１つまたは複数の第２関連アップリンク・チャネルとを提供し、前記第１アップリンク・チャネルは前記第１ダウンリンク・チャネルに関連し、事前に決めた関係に関連しかつを有し、前記第２関連アップリンク・チャネルは、それぞれ、各第２ダウンリンク・チャネルに関連し、かつ事前に決めた関係を有することを特徴とする請求項２１に記載の第１通信デバイス。
【請求項２３】  前記第１、第２のダウンリンク・チャネルおよび前記関連アップリンク・チャネルは通常のＴＤＭＡチャネルであることを特徴とする請求項２２に記載の第１通信デバイス。
【請求項２４】  前記第１関連アップリンク・チャネルと前記第２関連アップリンク・チャネルとが同期化され、前記第１ダウンリンク・チャネルと前記第２ダウンリンク・チャネルとが同期化されることを特徴とする請求項２３に記載の第１通信デバイス。
【請求項２５】  前記第１、第２のダウンリンク・チャネルおよび前記関連アップリンク・チャネルは通常のＦＤＭＡチャネルであることを特徴とする請求項２２に記載の第１通信デバイス。
【請求項２６】  前記第１、第２のダウンリンク・チャネルおよび前記関連アップリンク・チャネルは通常のＣＤＭＡチャネルであることを特徴とする請求項２２に記載の第１通信デバイス。
【請求項２７】  前記第１リモート通信デバイスは前記第１通信デバイスに関連するリモート・ユーザ端末であり、前記他のリモート通信デバイスは前記第２通信デバイスに関連するリモート・ユーザ端末であり、前記第１通信デバイスは１つまたは複数の追加ユーザ端末に関連し、
前記ダウンリンク送信ユニットは、１つまたは複数の追加ユーザ端末にダウンリンク・データを送信する前に、前記第１通信デバイスに関連する前記１つまたは複数の追加ユーザ端末に第１基地局から１つまたは複数の追加ポーリングをさらに送信し、
前記アップリンク受信ユニットは、前記追加ユーザ端末が追加ポーリングを成功裡に受信した結果として、前記第１通信デバイスに関連する前記１つまたは追加の他のユーザ端末からのアップリンク応答信号をさらに受信し、
前記決定されたダウンリンク・スマート・アンテナ処理戦略は、他のアップリンク応答信号を受信する前記第１通信デバイスが前記１つまたは複数の他のユーザ端末への混信を軽減する工程を有することを特徴とする請求項２１に記載の第１通信デバイス。
【請求項２８】  前記第１通信デバイスは外部データ・ネットワークおよび／または外部音声ネットワークに結合されることを特徴とする請求項２１に記載の第１通信デバイス。